(57)【要約】【課題】コンパクト且つ低コストでありながら光ディスクに対して情報の記録及び／又は再生を行えるピックアップ装置及び光情報記録再生装置を提供する。【解決手段】光ピックアップ装置ＰＵ１は、従来技術で用いていた偏光ビームスプリッタ、λ／４波長板を省略できるので、半導体レーザＬＤと光ディスクＤＳＣとの距離を大幅に縮めることができ、コンパクト且つ低コストな光ピックアップ装置を提供できる。【選択図】図４
2008103016.tif 000002
【特許請求の範囲】
【請求項１】
光束を射出する光源と、前記光束を厚さｔ１の保護基板を有する第１光ディスクの情報記録面上に集光させるための対物光学素子と、前記第１光ディスクの情報記録面上で反射した光束を受光する光検出器とを有し、前記対物光学素子が、前記光源からの光束を、前記保護基板を介して前記第１光ディスクの情報記録面に集光させることによって、情報の記録及び／又は再生を行うことが可能となっている光ピックアップ装置であって、
前記光源及び前記光検出器は、前記対物光学素子の光軸外に配置され、
前記光源と前記光検出器は、前記対物光学素子の光軸に直交する同一の平面上に、前記光軸を中心に点対称となるように配置されていることを特徴とする光ピックアップ装置。
【請求項２】
前記第１光ディスクの情報記録面で反射した光束は、前記光源から出射した光束が最初に入射した光学素子の入射面から、前記光検出器に向かって出射されることを特徴とする請求項１に記載の光ピックアップ装置。
【請求項３】
前記対物光学素子は、前記光源からの光束を、厚さｔ２（ｔ１＜ｔ２）の保護基板を有する第２光ディスクの情報記録面に集光させることによって、情報の記録及び／又は再生を行うことが可能となっており、
前記光束の偏光方向を第１の偏光方向又は第２の偏光方向に選択的に切り換える偏光面切換素子と、前記第１の偏光方向の光束が通過したときに第１の量の収差を発生させ、前記第２の偏光方向の光束が通過したときと前記第１の量とは異なる第２の量の収差を発生させる収差補正素子とを有し、
前記第１光ディスクに対して情報の記録及び／又は再生を行う際は、前記光源から出射された光束は、前記偏光面切換素子を通過した後に第１の偏光方向を向き、更に前記収差補正素子を通過するようになっており、
前記第２光ディスクに対して情報の記録及び／又は再生を行う際は、前記光源から出射された光束は、前記偏光面切換素子を通過した後に第２の偏光方向を向き、更に前記収差補正素子を通過するようになっていることを特徴とする請求項１又は２に記載の光ピックアップ装置。
【請求項４】
前記光源から出射され前記光ディスク上に照射される前記光束の中心光線が、前記光ディスクの半径方向の直線と前記光ディスクの法線を含む面内に含まれるように、前記光源と前記光検出器が配置されていることを特徴とする請求項１乃至３に記載の光ピックアップ装置。
【請求項５】
前記光源から出射され前記光ディスク上に照射される前記光束の中心光線が、前記光ディスクの半径方向に直交する直線と前記光ディスクの法線を含む面内に含まれるように、前記光源と前記光検出器が配置されていることを特徴とする請求項１乃至３に記載の光ピックアップ装置。
【請求項６】
請求項１乃至５のいずれかに記載の光ピックアップ装置を用いたことを特徴とする光情報記録再生装置。
【発明の詳細な説明】
【技術分野】
【０００１】
本発明は、光ピックアップ装置及び光情報記録再生装置に関し、特に高密度光ディスクに対して情報の記録及び／又は再生を行うのに好適な光ピックアップ装置及び光情報記録再生装置に関する。
【背景技術】
【０００２】
光ディスクの記録及び／又は再生を行う光ピックアップ装置において、光源から出射された光束の光路に対して、光ディスク上で反射された光束の光路を分岐させて光検出器に入射させるために、一般的にλ／４波長板と偏光ビームスプリッタの組み合わせが用いられている（特許文献１参照）。
【特許文献１】特開２００２−１９７７１２号公報
【発明の開示】
【発明が解決しようとする課題】
【０００３】
しかしながら、光ピックアップ装置は、よりいっそうの小型化及びコストの低減が求められており、できるだけ部品点数を減らしたいという要求がある。特に偏光ビームスプリッタは、ある程度光軸方向の寸法を必要とするため、これを設置することで光路長が長くなる傾向がある。これに対し、光ピックアップ装置から偏光ビームスプリッタを省略することが出来れば、λ／４波長板も不要となり光ピックアップ装置の小型化及びコスト低減に寄与できる。しかしながら、現在の技術では、光源と光検出器とを兼用することはできないため、λ／４波長板と偏光ビームスプリッタを省略するためには、その代わりに光路を分岐する何らかの技術が技術が必要となる。
【０００４】
本発明は、かかる従来技術の問題点に鑑みてなされたものであり、コンパクト且つ低コストでありながら光ディスクに対して情報の記録及び／又は再生を行えるピックアップ装置及び光情報記録再生装置を提供することを目的とする。
【課題を解決するための手段】
【０００５】
請求項１に記載の光ピックアップ装置は、光束を射出する光源と、前記光束を厚さｔ１の保護基板を有する第１光ディスクの情報記録面上に集光させるための対物光学素子と、前記第１光ディスクの情報記録面上で反射した光束を受光する光検出器とを有し、前記対物光学素子が、前記光源からの光束を、前記保護基板を介して前記第１光ディスクの情報記録面に集光させることによって、情報の記録及び／又は再生を行うことが可能となっている光ピックアップ装置であって、
前記光源及び前記光検出器は、前記対物光学素子の光軸外に配置され、
前記光源と前記光検出器は、前記対物光学素子の光軸に直交する同一の平面上に、前記光軸を中心に点対称となるように配置されていることを特徴とする。
【０００６】
本発明によれば、前記光源及び前記光検出器は、前記対物光学素子の光軸外に配置されているので、前記第１光ディスクの情報記録面に入射する光束の主光線の入射方向と、情報記録面から反射する光束の主光線の反射方向とが異なるため、前記光源と前記光検出器とを光軸に直交する平面内で異なる位置に配置でき、それにより偏光ビームスプリッタ等を省略できて、コンパクトな光ピックアップ装置を提供できる。光源と光検出器を１パッケージにして、一体化しても良い。尚、「対物光学素子の光軸外」とは、例えば立ち上げミラー等で対物光学素子の光軸が折り曲げられたような場合には、折り曲げられた光軸が通過しない位置をいうものとする。
【０００７】
請求項２に記載の光ピックアップ装置は、請求項１に記載の発明において、前記第１光ディスクの情報記録面で反射した光束は、前記光源から出射した光束が最初に入射した光学素子の入射面から、前記光検出器に向かって出射されることを特徴とするので、光路を折り曲げる偏光ビームスプリッタ等を設ける必要がなく、コンパクトな光ピックアップ装置を提供できる。
【０００８】
請求項３に記載の光ピックアップ装置は、請求項１又は２に記載の発明において、前記対物光学素子は、前記光源からの光束を、厚さｔ２（ｔ１＜ｔ２）の保護基板を有する第２光ディスクの情報記録面に集光させることによって、情報の記録及び／又は再生を行うことが可能となっており、
前記光束の偏光方向を第１の偏光方向又は第２の偏光方向に選択的に切り換える偏光面切換素子と、前記第１の偏光方向の光束が通過したときに第１の量の収差を発生させ、前記第２の偏光方向の光束が通過したときと前記第１の量とは異なる第２の量の収差を発生させる収差補正素子とを有し、
前記第１光ディスクに対して情報の記録及び／又は再生を行う際は、前記光源から出射された光束は、前記偏光面切換素子を通過した後に第１の偏光方向を向き、更に前記収差補正素子を通過するようになっており、
前記第２光ディスクに対して情報の記録及び／又は再生を行う際は、前記光源から出射された光束は、前記偏光面切換素子を通過した後に第２の偏光方向を向き、更に前記収差補正素子を通過するようになっていることを特徴とする。
【０００９】
近年、光ピックアップ装置において、光ディスクに記録された情報の再生や、光ディスクへの情報の記録のための光源として使用されるレーザ光源の短波長化が進み、例えば、青紫色半導体レーザや、第２高調波を利用して赤外半導体レーザの波長変換を行う青色ＳＨＧレーザ等、波長４００〜４２０ｎｍのレーザ光源が実用化されつつある。これら青紫色レーザ光源を使用すると、ＤＶＤ（デジタルバーサタイルディスク）と同じ開口数（ＮＡ）の対物レンズを使用する場合（ＨＤ  ＤＶＤ、以下ＨＤという）には、直径１２ｃｍの光ディスクに対して、１５〜２０ＧＢの情報の記録が可能となり、対物レンズのＮＡを０．８５にまで高めた場合（Ｂｌｕ−ｒａｙ  Ｄｉｓｃ、以下ＢＤという）には、直径１２ｃｍの光ディスクに対して、２３〜２５ＧＢの情報の記録が可能となる。以下、本明細書では、青紫色レーザ光源を使用する光ディスク及び光磁気ディスクを総称して「高密度光ディスク」という。
【００１０】
ここで、ＢＤとＨＤとは同じ青紫色レーザ光を使用するにも関わらず、保護基板の厚さが異なる（ＢＤは約０．１ｍｍ、ＨＤは約０．６ｍｍ）ため、共通の集光光学系を用いた場合、例えばＢＤ使用時の球面収差を最適に抑えた設計とすると、ＨＤ使用時に無視できない球面収差が生じてしまうこととなる。そこで本発明によれば、例えばＢＤ使用時には、前記光源から出射された光束に対して、前記偏光面切換素子により第１の偏光方向を与え、更に前記収差補正素子で第１の量（ゼロを含む）の収差を発生させ、一方、ＨＤ使用時には、前記光源から出射された光束に対して、前記偏光面切換素子により第２の偏光方向を与え、更に前記収差補正素子で前記第１の量とは異なる第２の量（ゼロを含むが、第１の量がゼロの場合は、第２の量はゼロとはならない）の収差を発生させることにより、第１の収差量と第２の収差量との差を利用して、同一波長の光源を用いるにも拘わらず、保護基板厚さの差に起因する球面収差を補正することができ、いずれの光ディスクに対しても高い光利用効率で適切に情報の記録及び／又は再生を行うことができる。又、開口数ＮＡが異なる場合にも、例えば前記第２の偏光方向の光束のみ前記収差補正素子を介して要求開口数以上の光束をフレア化させることで、絞りの効果を与えることもできる。この様な偏光方向に依存する収差補正素子を、従来のような偏光ビームスプリッタとλ／４波長板で光ディスクからの反射光を分離し光検出器に入射させる光ピックアップ装置に用いると、即ち偏光依存の収差補正素子の後方にλ／４波長板を配置すると、光ディスクからの反射光が再度波長板を通過する際に、偏光方向が９０度回転することになり、光検出器に入射させる光に余分な第１の収差または第２の収差が発生することになる。
【００１１】
偏光面切換素子の例としては、以下が挙げられる。
（１）ＴＮ（ツイスト・ネマティック）型液晶
紙面に平行な方向（第１の偏光方向）に偏光する光束がＴＮ型液晶に入射するものとした場合、液晶に電圧を加えないときは、図１（ａ）に示すように、入射した光束は、ＴＮ型液晶により偏光方向を９０度変えられ紙面に垂直な方向（第２の偏光方向）に偏光方向を変えて出射するようになる。一方で、液晶に電圧を加えたときは、図１（ｂ）に示すように、入射した光束は、ＴＮ型液晶により偏光方向を変えられずに、紙面に平行な方向（第１の偏光方向）のまま透過する。
（２）λ／２板
ＢＤの使用時には、ＨＤの使用時の状態から光軸回りに４５度回転させることで、偏光方向を９０度変えられる。
【００１２】
収差補正素子の例としては、光束の偏光方向によって選択的に光束を回折させ、与える収差量を異ならせることができる「偏光回折素子」が挙げられる。第２の光ディスクを用いている場合は、所定の開口数の外を通る光束はフレアにし、第１の光ディスクを用いている場合は、所定の開口数の外を通る光束も情報記録面上に集光できるように収差付与することが好ましい。また、収差補正素子は、第１の光ディスクと第２の光ディスクの保護基板の厚さの差に基づいて発生する球面収差も補正することが好ましい。例えば、第１の光ディスクを用いる際には、収差補正素子から出射された光束は平行光として対物レンズに入射し、第２の光ディスクを用いる際には、収差補正素子から出射された光束は発散光として対物レンズに入射するようにしてもよい。
【００１３】
偏光回折素子の具体例としては、例えば等方性媒質と複屈折媒質とを回折状に組み合わせた偏光ホログラム素子が挙げられる。偏光ホログラム素子は、図２に示す光軸直交方向部分断面形状を有している。図２において、偏光ホログラム素子は、等方性媒質Ｈ２と複屈折媒質Ｈ３とこれらを挟むようにして配置された一対のガラス板Ｈ１、Ｈ１とからなる。複屈折媒質Ｈ３は、図２に示すように入射光の進行方向での断面が鋸歯状に形成され、円心部から円周に同心円に多数形成された形状とされた回折構造を有している。その具体的な形状は図示のものに限定されない。他の鋸歯状であっても良く、鋸歯の斜面を階段状にしても良い。等方性媒質Ｈ２はこの複屈折媒質Ｈ３と相補的な形状であり、複屈折媒質の鋸歯状に形成された面に密着している。等方性媒質Ｈ２は、入射光に対して屈折率ｎを持つ物質であり、複屈折媒質Ｈ３は入射光の偏光面が所定の方向である場合には屈折率ｎ、入射光の偏光面が所定の方向に直交する場合には屈折率ｎ’となる特性を有している。すなわち、偏光面切換素子を通過した光束が所定の偏光状態で偏光ホログラム素子に入射する際に、偏光ホログラム素手が、０以外の所定の回折次数で回折効率が最大となる回折光を発生させるようになっている。
【００１４】
光源から出射された光束は、例えば偏光面切換素子であるＴＮ型液晶を通過することにより、例えばＢＤの記録再生を行う場合と、ＨＤの記録再生を行う場合とで、偏光面を９０度異ならせており、ＢＤの記録再生を行う際の光束の偏光面を所定の方向とすると、偏光ホログラム素子を通過しても均質な平行平面媒質を通過したのと同じであるため発散角は変更されず、そのままの状態で対物レンズに入射するので、０．１ｍｍの保護層を有するＢＤに対して、適切な情報の記録及び／又は再生を行える。
【００１５】
一方、ＨＤの記録再生を行う際には、光束は偏光ホログラム素子内の屈折率ｎ、ｎ’の媒質を通過するため、その境界面の回折構造で正レンズの回折効果が生じ、発散角や球面収差を変更して対物レンズに入射するので、同じ対物レンズを用いた場合でも、０．６ｍｍの保護層を有するＨＤに対して、球面収差を補正して適切な情報の記録及び／又は再生を行える。
【００１６】
更に、ＨＤ使用時には偏光ホログラムの選択的回折作用により、有効径の外側の光束がスポット結像に寄与しないようにフレア化させることで、偏光ホログラム素子に絞り機能を持たせることもできる。このとき、偏光ホログラム素子が、偏光面が互いに直交する所定の波長の入射光に対し、少なくとも一方の入射光に対し回折効率が８５％以上で回折する回折光を発生させることが好ましい。
【００１７】
光源波長の好ましい範囲は、３５０〜４４０ｎｍである。又、前記第１光ディスクの好ましい例はＢＤであり、前記２光ディスクの好ましい例はＨＤである。従って、前記第１の光ディスクの保護基板における厚さｔ１の好ましい範囲は、０．０７５０≦ｔ１（ｍｍ）≦０．１１２５であり、前記第２の光ディスクの保護基板における厚さｔ２の好ましい範囲は、０．５≦ｔ２（ｍｍ）≦０．７である。
【００１８】
請求項４に記載の光ピックアップ装置は、請求項１乃至３に記載の発明において、前記光源から出射され前記光ディスク上に照射される前記光束の中心光線が、前記光ディスクの半径方向の直線と前記光ディスクの法線を含む面内に含まれるように、前記光源と前記光検出器が配置されていることを特徴とする。光ピックアップ装置において、トラッキング変位に比べて、ディスクチルトの方が読み取り精度に対する影響が大きい場合、図３の白丸に示す位置関係で、光源ＬＤと光検出器ＰＤとを配置することが好ましい。
【００１９】
請求項５に記載の光ピックアップ装置は、請求項１乃至３に記載の発明において、前記光源から出射され前記光ディスク上に照射される前記光束の中心光線が、前記光ディスクの半径方向に直交する直線と前記光ディスクの法線を含む面内に含まれるように、前記光源と前記光検出器が配置されていることを特徴とする。光ピックアップ装置において、ディスクチルトに比べて、トラッキング変位の方が読み取り精度に与える影響が大きい場合、図３の黒丸に示す位置関係で、光源ＬＤと光検出器ＰＤとを配置することが好ましい。
【００２０】
請求項６に記載の光情報記録再生装置は、請求項１乃至５のいずれかに記載の光ピックアップ装置を用いたことを特徴とする。
【発明の効果】
【００２１】
本発明によれば、コンパクト且つ低コストでありながら光ディスクに対して情報の記録及び／又は再生を行えるピックアップ装置及び光情報記録再生装置を提供することができる。
【発明を実施するための最良の形態】
【００２２】
以下、本発明の実施の形態を図面を参照して説明する。図４は、光ディスクＤＳＣ（ＢＤ、ＨＤ、ＤＶＤ、ＣＤのいずれでも良い）に対して適切に情報の記録／再生を行える本実施の形態の光ピックアップ装置ＰＵ１の構成を概略的に示す図である。かかる光ピックアップ装置ＰＵ１は、光情報記録再生装置に搭載できる。本実施の形態において、対物レンズの光軸に対して直交する平面に取り付けられた半導体レーザＬＤと光検出器ＰＤとは、対物レンズＯＢＪの光軸外に配置されており、その中心位置は光軸から等距離にある。なお、半導体レーザＬＤと光検出器ＰＤとは、対物レンズＯＢＪの光軸を中心とし、互いに点対称に配置されている。
【００２３】
光源としての半導体レーザＬＤから出射された光束は、最初に入射する光学素子であるコリメータＣＬで平行光束とされた後、不図示の絞りを通過し、対物レンズＯＢＪにより、その光軸に対して傾いた所定の入射角で、光ディスクＤＳＣに入射し、その保護基板を介してその情報記録面に集光され、ここに集光スポットを形成する。
【００２４】
そして情報記録面で情報ピットにより変調され、対物レンズＯＢＪの光軸に対して傾いた所定の出射角で反射した光束は、再び対物レンズＯＢＪ、不図示の絞り、コリメータＣＬを透過し、半導体レーザＬＤの光束が入射したコリメータ入射面から光検出器ＰＤに向かって出射され、更に光検出器ＰＤの受光面に入射するので、その出力信号を用いて、光ディスクＤＳＣに情報記録された情報の読み取り信号が得られる。
【００２５】
また、光検出器ＰＤ上でのスポットの形状変化、位置変化による光量変化を検出して、合焦検出やトラック検出を行う。この検出に基づいて、不図示のアクチュエータが、半導体レーザＬＤからの光束を光ディスクＤＳＣの情報記録面上に結像するように対物レンズＯＢＪを移動させるようになっている。
【００２６】
本実施の形態によれば、光ピックアップ装置ＰＵ１は、従来技術で用いていた偏光ビームスプリッタ、λ／４波長板を省略できるので、半導体レーザＬＤと光ディスクＤＳＣとの距離を大幅に縮めることができ、コンパクト且つ低コストな光ピックアップ装置を提供できる。尚、コリメータを省略して、対物レンズＯＢＪに直接半導体レーザＬＤからの光束を入射させ、対物レンズＯＢＪから出射された情報記録面からの反射光を光検出器ＰＤに直接入射させても良い。
【００２７】
図５は、光ディスクＤＳＣ１，ＤＳＣ２（ここではＢＤ、ＨＤ）に対して適切に情報の記録／再生を行える本実施の形態の光ピックアップ装置ＰＵ２の構成を概略的に示す図である。かかる光ピックアップ装置ＰＵ２は、光情報記録再生装置に搭載できる。本実施の形態においても、対物レンズの光軸に対して直交する平面に取り付けられた半導体レーザＬＤと光検出器ＰＤとは、対物レンズＯＢＪの光軸外に配置されており、その中心位置は光軸から等距離にある。なお、半導体レーザＬＤと光検出器ＰＤとは、対物レンズＯＢＪの光軸を中心とし、互いに点対称に配置されている。又、本実施の形態においては、コリメータＣＬと対物レンズＯＢＪとの間に、偏光面切換素子としてＴＮ型液晶ＴＮと、収差補正素子として偏光回折素子ＨＯＥが配置されている。ＴＮ型液晶ＴＮと偏光回折素子ＨＯＥの構成については上述しているので、その説明は省略する。
【００２８】
第１光ディスクＤＳＣ１に対して情報の記録／再生を行う場合、ＴＮ型液晶ＴＮに所定の電圧を加える。図５（ａ）において、半導体レーザＬＤ（ここで、波長λ１＝４０５ｎｍ）から出射された光束は、第１の偏光方向を有しており、コリメータＣＬで平行光束とされた後、ＴＮ型液晶ＴＮに入射するが、図１（ｂ）で説明したように、偏光方向は変わらない。従って、第１の偏光方向のままＴＮ型液晶ＴＮを出射した光束は、偏光回折素子ＨＯＥは平行平板として機能する（第１の収差量＝０）ため、平行光束のまま開口数ＮＡが０．８５の対物レンズＯＢＪに入射し、その光軸に対して傾いた所定の入射角で、第１光ディスクＤＳＣ１の保護層（ここで、厚さｔ１＝０．１ｍｍ）を介してその情報記録面に集光されここに集光スポットを形成する。
【００２９】
そして情報記録面で情報ピットにより変調され、対物レンズＯＢＪの光軸に対して傾いた所定の出射角で反射した光束は、再び対物レンズＯＢＪ、偏光回折素子ＨＯＥ、ＴＮ型液晶ＴＮ、コリメータＣＬを透過し、半導体レーザＬＤの光束が入射したコリメータ入射面から光検出器ＰＤに向かって出射され、更に光検出器ＰＤの受光面に入射するので、その出力信号を用いて、第１光ディスクＤＳＣ１に情報記録された情報の読み取り信号が得られる。
【００３０】
また、光検出器ＰＤ上でのスポットの形状変化、位置変化による光量変化を検出して、合焦検出やトラック検出を行う。この検出に基づいて、不図示のアクチュエータが、半導体レーザＬＤからの光束を第１光ディスクＤＳＣ１の情報記録面上に結像するように対物レンズＯＢＪを移動させるようになっている。
【００３１】
次に、第２光ディスクＤＳＣ２に対して情報の記録／再生を行う場合、ＴＮ型液晶ＴＮに所定の電圧を加えない。図５（ｂ）において、半導体レーザＬＤから出射された光束は、第１の偏光方向を有しており、コリメータＣＬで平行光束とされた後、ＴＮ型液晶ＴＮに入射するが、図１（ａ）で説明したように、ここで偏光方向が９０度異なる第２の偏光方向となる。従って、第２の偏光方向の状態でＴＮ型液晶ＴＮを出射し偏光回折素子ＨＯＥに入射した光束は、偏光回折素子ＨＯＥが回折作用を発揮する（第２の収差量≠０）ため、有効径外（ここでは、ＮＡ０．６５より大きい部分）を通過する光束は回折作用によりフレア光となり、有効径内（ここでは、ＮＡ０．６５以下の部分）の光束が回折作用により発散光とされ、当該発散光束が対物レンズＯＢＪに入射し、その光軸に対して傾いた所定の入射角で、第２光ディスクＤＳＣ２の保護層（ここで、厚さｔ２＝０．６ｍｍ）を介してその情報記録面に集光されここに集光スポットを形成する。
【００３２】
そして情報記録面で情報ピットにより変調され、対物レンズＯＢＪの光軸に対して傾いた所定の出射角で反射した光束は、再び対物レンズＯＢＪ、偏光回折素子ＨＯＥ、ＴＮ型液晶ＴＮ、コリメータＣＬを透過し、半導体レーザＬＤの光束が入射したコリメータ入射面から光検出器ＰＤに向かって出射され、更に光検出器ＰＤの受光面に入射するので、その出力信号を用いて、第２光ディスクＤＳＣ２に情報記録された情報の読み取り信号が得られる。
【００３３】
また、光検出器ＰＤ上でのスポットの形状変化、位置変化による光量変化を検出して、合焦検出やトラック検出を行う。この検出に基づいて、不図示のアクチュエータが、半導体レーザＬＤからの光束を第２光ディスクＤＳＣ２の情報記録面上に結像するように対物レンズＯＢＪを移動させるようになっている。
【００３４】
本実施の形態によれば、ＴＮ型液晶ＴＮのオンオフを行うだけで、例えば同じ青紫レーザ光束を用いた場合でも、保護基板厚さ及び開口数が異なるＢＤとＨＤとに対して、適切に情報の記録／再生を行うことができる。
【００３５】
以上の実施の形態において、レーザ光源ＬＤと光検出器ＰＤとを結んだ直線の方向が、使用する光ディスクの直径方向と―致又は略一致するようにしても良く、或いは使用する光ディスクの直径方向と直交又は略直交するようにしても良い。
【図面の簡単な説明】
【００３６】
【図１】ＴＮ（ツイスト・ネマティック）型液晶の構成を示す概略断面図である。
【図２】偏光ホログラム素子の構成を示す概略断面図である。
【図３】光ディスクに対してレーザ光源ＬＤと光検出器ＰＤの位置関係を示す図である。
【図４】光ディスクＤＳＣに対して適切に情報の記録／再生を行える本実施の形態の光ピックアップ装置ＰＵ１の構成を概略的に示す図である。
【図５】光ディスクＤＳＣ１，ＤＳＣ２に対して適切に情報の記録／再生を行える本実施の形態の光ピックアップ装置ＰＵ２の構成を概略的に示す図である。
【符号の説明】
【００３７】
ＣＬ コリメータ
ＤＳＣ 光ディスク
ＤＳＣ１ 第１の光ディスク
ＤＳＣ２ 第２の光ディスク
Ｈ１ ガラス板
Ｈ２ 等方性媒質
Ｈ３ 複屈折媒質
ＨＯＥ 偏光回折素子
ＬＤ レーザ光源
ＬＤ 半導体レーザ
ＯＢＪ 対物レンズ
ＰＤ 光検出器
ＰＵ１ 光ピックアップ装置
ＰＵ２ 光ピックアップ装置
ＴＮ ＴＮ型液晶
【図１】
2008103016.tif 000003
【図２】
2008103016.tif 000004
【図３】
2008103016.tif 000005
【図４】
2008103016.tif 000006
【図５】
2008103016.tif 000007